(57)【要約】【課題】建造物の構造体等におけるモルタルやコンクリート等の剥離劣化等の有無をその表面側から非破壊の点検ができ、しかも作業者の疲労を可及的に軽減でき、点検作業の正確度、信頼性、作業効率を向上させると共に、安全性・強靭性が可能となる構造体等の点検具を提供する。【解決手段】建造物の構造体に、剥離・劣化・膨張・空気・異物混入等の有無を表面側から非破壊で点検でき、支軸部を有する操作桿と、前記支軸部に回転自在に支持されて構造体等の表面に接当しながら転動する。横断面外形が５〜８辺の多角形で縦断面外形が円弧ないし楕円弧状の多面体でできている転打子とで構成されている点検具で、３００ｍｍ〜１５００ｍｍの範囲に伸縮する事が出来る操作桿と、滑り止め付きゴム製で出来た取手部と、操作桿の先端部と前記の転打子の脱落を防ぐ為に転打子に挿入した溝付金属棒をプッシュナットで固定して作られた構造体等の点検具である。【選択図】  図２
0003127863.tif 000002
【実用新案登録請求の範囲】
【請求項１】
建造物の構造体等を形成するモルタル、タイル、コンクリート等に、剥離、劣化、膨張、空気・異物混入等が生じているか否かをその表面側から非破壊で点検するために、支軸部を有する操作桿と、前記支軸部に回転自在に支持されて構造体等の表面に接当しながら転動せしめられて、横断面外形が５〜８辺の多角形で縦断面外形が円弧ないし楕円弧状の対向辺を持つ多面体からなっている転打子とからなっている点検具であって、３００ｍｍから１５００ｍｍの範囲に伸縮することが出来る操作桿と、滑り止め付きゴム製で出来た取手部と、操作桿の先端部と前記の転打子とが脱落しないように転打子に挿入した溝付金属棒をプッシュナットの固定具で固定されている転打子と、からなっていることを特徴とする構造体等の点検具。
【請求項２】
請求項１において、点検部の転打子を接合している操作棹が伸縮可能にして、３段から８段に自由自在に伸縮することができて、先端部で接着剤、および１〜３箇所のカシメによって、前記転打子に挿入している金属棒を固定していることを特徴とする構造体等の点検具。
【請求項３】
請求項１において、操作桿の先端部と前記の転打子とが脱落しないように転打子に挿入した溝付金属棒をプッシュナットの固定具で固定されている転打子は、厚さ０．５ｍｍ〜１・６ｍｍ、内径１ｍｍ〜５ｍｍ、外径４ｍｍ〜１０ｍｍのステンレススチール製のプッシュナットによって固定されていることを特徴とする構造体等の点検具。
【請求項４】
請求項１において、ゴム製で出来た取手部は、操作棹の接合部で１５ｍｍ〜２５ｍｍの径で、端部で２５ｍｍ〜３５ｍｍの径で、１５０ｍｍ〜３００ｍｍの長さで、当該の前部は細く、後部は太くなっているゴルフグリップ型の握り部であって、合成ゴム、および天然ゴムからできており、その握り部の表面に滑り止めの凹凸を設けていることを特徴とする構造体等の点検具
【考案の詳細な説明】
【技術分野】
【０００１】
本考案は、建造物の躯体、壁部、床部等（以下、全てをまとめて構造体等と称する）を形成するモルタル、タイル、コンクリート等に、剥離、劣化、膨張、空気・異物混入等が生じているか否かをその表面側から非破壊で点検するために用いられる構造体等の検査に当たって、検査操作中、安全に長期間使用できる点検具に関する。
【背景技術】
【０００２】
建造物本体の壁面に付着ないし張り付けたモルタルやタイル、あるいは、トンネル内壁部を形成するコンクリート等に、剥離、劣化、膨張、空気・異物混入等が生じていると、その剥離劣化等が生じている箇所（及びその周辺部）が脱落して大事故を引き起こすおそれがある。しかし、上記のような建造物の構造体等における剥離劣化等は、構造体等の表面を目視しただけでは見つけることが難しい（特許文献１参照）。
【０００３】
そこで、従来においては、構造体等の表面を点検用ハンマーでくまなく叩打して、その打撃音（反響音）の微妙な違いに基づいて、剥離劣化等が生じている箇所と健全箇所とを判別するようにしている（特許文献２参照）。
また、モルタル、タイル、コンクリート等に、剥離、劣化、膨張、空気・異物混入等が生じているか否かをその表面側から非破壊で点検するために、支軸部を有する操作桿と、前記支軸部に回転自在に支持されて構造体等の表面に接当しながら転動せしめられて、横断面外形が５〜８辺の多角形で縦断面外形が円弧ないし楕円弧状の対向辺を持つ多面体からなっている転打子とからなっている点検具が提案されている（特許文献３参照）
【特許文献１】構造体等における剥離劣化等について
【特許文献２】点による叩打法と回転打音による検査法のちがい
【特許文献３】特許３７４２０３２号公報
【考案の開示】
【考案が解決しようとする課題】
【０００４】
前記のような点検用ハンマーを用いた打診法による点検作業は、高所やトンネル天井面等の点検に際してはゴンドラや梯子等に搭乗して不安定な状態、不自然な姿勢でハンマーを振る必要等もあって、極めて多大な疲労を伴い、作業が長時間に及ぶに従い、叩打点の間隔が広くなる傾向がある等、点検作業の正確度、信頼性が問題となる場合が少なからずあるとともに、作業効率も良いものではなかった。
【０００５】
本考案は、前記した如くの問題を解消すべくなされたもので、その目的とするところは、建造物の構造体等におけるモルタルやコンクリート等に剥離劣化等が生じているか否かをその表面側から非破壊で点検することができ、しかも、作業者の疲労を可及的に軽減できるようにされて、点検作業が、正確度、信頼性、及び効率を向上させるとともに、安全性、強靭性を向上させることができる構造体等の点検具を提供することにある。
【課題を解決するための手段】
【０００６】
建造物の構造体等を形成するモルタル、タイル、コンクリート等に、剥離、劣化、膨張、空気・異物混入等が生じているか否かをその表面側から非破壊で点検するために、支軸部を有する操作桿と、前記支軸部に回転自在に支持されて構造体等の表面に接当しながら転動せしめられて、横断面外形が５ないし８辺の多角形で縦断面外形が円弧ないし楕円弧状の対向辺を持つ多面体からなっている転打子とからなっている点検具であって、３００ｍｍから１５００ｍｍの範囲に伸縮することが出来る操作桿と、滑り止め付きゴム製で出来た取手部と、操作桿の先端部と前記の転打子とが脱落しないように転打子に挿入した溝付金属棒をプッシュナットの固定具で固定されている転打子と、からなっている構造体等の点検具である。
前記操作棹が伸縮可能とされて、３段から８段に自由自在に伸縮することができて、先端部で接着剤、および１〜３箇所のカシメによって前記転打子を固定されている。
ゴム製で出来た取手部は、操作棹の接合部で１５ｍｍ〜２５ｍｍの径で、端部で２５ｍｍ〜３５ｍｍの径で、１５０ｍｍ〜３００ｍｍの長さで、当該の前部は細く、後部は太くなっているゴルフグリップ型の握り部であって、合成ゴム、および天然ゴムからできており、その握り部の表面に滑り止めの凹凸を設けている。特に取手部の太さは接合部で１８〜２３ｍｍ、端部で２５〜３０ｍｍ、長さで１５０〜２５０ｍｍであることが好ましい。
操作桿の先端部と前記の転打子とが脱落しないように転打子に挿入した溝付金属棒をプッシュナットの固定具で固定されている転打子は、厚さ０．５ｍｍ〜１・６ｍｍ、内径１ｍｍ〜５ｍｍ、外径４ｍｍ〜１０ｍｍのステンレススチール製のプッシュナットによって固定されている構造体等の点検具である。特にプッシュナットは厚さで０．６〜１．５ｍｍ、内径１．１〜４・５ｍｍ、外径４〜９ｍｍであることが好ましい。
【０００７】
本考案に係る構造体等の点検具は、建造物の構造体等を形成するモルタル、タイル、コンクリート等に、剥離、劣化、膨張、空気・異物混入等が生じているか否かをその表面側から非破壊で点検するために用いられるもので、基本的には、操作棹と、前記支軸部に回転自在に支持されて構造体等の表面に接当しながら転動せしめられる転打子と、前記転打子は、横断面外形が５ないし８辺の多角形で縦断面外形が円弧ないし楕円弧状の対向辺を持つ多面体からなっていて、安全に操作できて、長時間使用に耐えることを特徴としている。
【０００８】
また、前記転打子の材質は、ステンレス等の金属製であることが好ましいが、セラミックやプラスチック等であってもよい。
【０００９】
このような構成とされた本発明に係る点検具を用いて、構造体等を形成するモルタル、タイル、あるいは、コンクリート等に剥離劣化等が生じているか否かを点検するに際しては、操作棹を手に持って転打子を構造体等の表面に押し当て、この状態で、操作棹を左右、前後、あるいは上下に振るか又は移動させる。
【００１０】
転打子は、構造体等の表面から離れることなく、その外周面の角部が構造体等の表面との間の摩擦係止力により支点となって転動する。横断面外形が正六角形の転打子の場合は、概ね６０度回転する毎に、転打面が構造体等の表面に接当して打撃音を発する。転打子が支軸回りを１回転する間に、６面の転打面が構造体等の表面に次々と接当して、６回の打撃音が概ね等間隔で発せられる。
本考案の点検具は、転打子の転打面が円筒面又は楕円筒面とされているので、転打子の転動時に、転打面は構造体等の表面に線接触して打撃音を発する。線接触であることから、  転打子が六角ナットのような形状をしていて転打面全体が接触する場合に比して、接当圧が格段に大きくなるので、転打子が小さくても、また、構造体等の表面への転打子の押し付け力が弱くても大きな打撃音が発せられる。
【００１１】
したがって、かかる転打面が構造体等の表面に次々と接当したときに発せられる打撃音（反響音）に基づいて、点検用ハンマーを用いた場合と同様に、剥離劣化等が生じている箇所と健全箇所とを判別することができる。
【００１２】
このように点検具では、建造物の構造体等におけるモルタルやコンクリート等に剥離劣化等が生じているか否かをその表面側から非破壊で点検することができることに加えて、転打子を構造体等の表面に沿って転動させて打撃音を得るようにしているので、点検作業を容易にしかも安全に効率良く行え、作業者の疲労を可及的に軽減でき、点検作業の正確度、信頼性を向上させることができる。
【考案の効果】
【００１３】
本考案に係る構造体等の点検具は、建造物の構造体等におけるモルタルやコンクリート等に剥離劣化等が生じているか否かを表面側から非破壊で点検することができることに加えて、転打子を構造体等の表面に沿って転動させて打撃音を得るようにしているので、従来の場合に比して、点検作業を安全に、容易にしかも効率良く点検業務を行え、作業者の疲労を可及的に軽減でき、点検作業の正確度、信頼性を向上させることができる。
【考案を実施するための最良の形態】
【００１４】
以下、本考案の実施の形態を図面を参照しながら説明する。
【実施例１】
【００１５】
図1、図２、は、それぞれ本発明に係る構造体等の点検具の一実施形態を示す分解斜視図、断面図、図３は、この点検具を用いて壁部の点検作業を行っている状態を示す図である。
【００１６】
図示実施形態の点検具１０は、図４、図５に示される建造物の壁部１等を形成するモルタル、タイル、コンクリート等に、剥離、劣化、膨張、空気・異物混入等が生じているか否かをその表面１ａ側から非破壊で点検するために用いられるもので、全体が支軸部２５とされた操作棹２０（約５０〜６０ｃｍ）と、前記支軸部２５に回転自在に支持されて壁部表面１ａに接当しながら転動せしめられる転打子３０と、を備える。
【００１７】
前記転打子３０は、ステンレス等の金属製で直径が２５ｍｍ程度とされ、図1、図２、加えて、図２（Ｂ）のＸ矢視図である図４（Ａ）、及び図２（Ｂ）のＹ矢視図である図４（Ｂ）を参照すればよくわかるように、横断面外形が正六角形で縦断面外形が円弧又は楕円弧の対向辺を持つ多面体とされ、その外周面が６面の円筒面からなる転打面３２、３２、・・・に等分割されている。
【００１８】
この転打子３０は、その中心軸線（回転軸線）Ｏが前記操作棹２０上、つまり、前記支軸部２５の中心軸線と一致するように配在されている
より詳細には、図２に示される如くに、前記転打子３０の中心軸線（回転軸線）Ｏ上に有底の雌ねじ穴３５が形成されるとともに、この雌ねじ穴３５が螺合せしめられる側面視逆Ｔ字状の筒状体とされた雄ねじ部材４０が前記支軸部２５に回転自在に外嵌され、前記支軸部２５における前記雄ねじ部材４０より先端側に、該雄ねじ部材４０が前記支軸部２５から抜け落ちるのを阻止する係止手段としてのストッパ４５が外嵌固定されている。
【００１９】
前記転打子３０は、支軸部２５の上方から前記雄ねじ部材４０にねじ込まれて固定係止されており、その雌ねじ穴３５の円錐状天底部３６が支軸部２５の半球状先端部に乗るようになっている。
【００２０】
このような構成とされた本実施形態の点検具１０を用いて、壁部１を形成するモルタル、タイル、あるいは、コンクリート等に剥離劣化等が生じているか否かを点検するに際しては、図３に示される如くに、操作棹２０を手に持って転打子３０を壁部表面１ａに押し当て、この状態で、操作棹２０を左右、前後、あるいは上下に振るか又は移動させる。
【図面の簡単な説明】
【００２１】
【図１】構造体等の点検具である点検棒の斜視図。
【図２】取手部の形状図
【図３】点検具での転打子と操作桿と取手の図。
【図４】転打子の接合部図。
【図５】従来の樹脂製取手の図。
【図６】従来の転打子の接合部−１の図
【図７】従来の転打子の接合部−２の図
【符号の説明】
【００２２】
１  転打子
２  操作桿
３  取手
４  カシメ
５  溝付金属棒
６  接合具
７  プッシュナット
８  Ｅ―リング
９  固定具
【図１】
0003127863.tif 000003
【図２】
0003127863.tif 000004
【図３】
0003127863.tif 000005
【図４】
0003127863.tif 000006
【図５】
0003127863.tif 000007
【図６】
0003127863.tif 000008
【図７】
0003127863.tif 000009